(57)【要約】【課題】  従来ベルトに比べ成形が簡単で、安価に製作でき、しかも長期使用に十分耐える強度を保持した紐体と、該紐体を用いた鞄類を提供することにある。【解決手段】  本発明の紐体は、少なくとも柔軟性とクッション性を有する帯状材１と、その表面１ａと裏面１ｂの少なくとも一方に積層した柔軟性を有しながら伸びにくい補強材２とを、合成樹脂製の筒状被覆体４の形成時にインサートし、被覆体４と帯状材１と補強材３とが一体を成していることを特徴とする。  本発明の鞄類は、収納部７の上側に請求項１，２，３の紐体８の両端部を取付け、紐体８から成る吊手９を備えていることを特徴とする。【選択図】        図１
2007061241.tif 000002
【特許請求の範囲】
【請求項１】
帯状材（１）と、その表面１ａと裏面１ｂの少なくとも一方に積層した補強材（２）とを、合成樹脂製の筒状被覆体（４）の形成時にインサートし、被覆体（４）と帯状材（１）と補強材（２）とが一体を成していることを特徴とする紐体。
【請求項２】
帯状材（１）は少なくとも柔軟性とクッション性を有し、補強材（２）は柔軟性を有しながら伸びにくいことを特徴とする請求項１記載の紐体。
【請求項３】
被覆体（４）の外面に縫製模様（５）を表示していることを特徴とする請求項１または２記載の紐体。
【請求項４】
収納部（７）の上側に請求項１，２，３の紐体（８）の両端部を取付け、紐体（８）から成る吊手（９）を備えていることを特徴とする鞄類。
【発明の詳細な説明】
【技術分野】
【０００１】
本発明は、少なくとも柔軟性とクッション性とを備えた紐体と、該紐体を用いた鞄類に関する。
【背景技術】
【０００２】
鞄類の内、肩掛け式鞄類のショルダーバック、ポシェット、肩掛けかばん等は、収納部に肩掛け紐を一本備え、肩掛け紐を左肩、又は右肩に掛けるものであるし、背負い式鞄類のナップサック（ナップザックとも称する）、ランドセル等は、収納部に肩掛けベルトを二本備え、肩掛けベルトを左右の肩に各々に掛けるものである。
肩掛け式鞄類を肩掛け状態から外し、収納部を机やテーブル等の上に置く場合、背負い式鞄類を背負い状態から外し、収納部を机やテーブル等の上に置く場合、肩掛けひもや肩掛けベルトを把握して移動していた。
【特許文献１】特許登録第３４３９１８８号
【特許文献２】特許登録第３５２０２５５号
【発明の開示】
【発明が解決しようとする課題】
【０００３】
従来の肩掛けベルト（ベルトに類似したバンド、及び紐を含む）は、主に動物の革や合成革から形成していた。この種のベルトは、約２倍幅のベルト素材を幅方向に折り返し、その端部を縫着するものと、ベルト素材の両側部を中央部に向けて折返し、向かい合わせの折返し端部を縫着するものと、ベルト幅のベルト素材を重合し、その両側部を縫着するもの等が知られている。また、折り返し部や重合部に補強材やクッション材を介在する場合もある。
【０００４】
ベルト素材を二つ折にし、或いはベルト素材の両側部を折返し、その端部を縫着することは、手間がかかって面倒であるばかりか、その分、コスト高になる問題点があった。また、縫着糸に雨水等が降りかかったり、他物に触れて擦れると、破損しやすくなる等の問題点もあった。
そこでこの発明は、従来技術の有するこのような問題点に鑑みてなされたものであり、その目的とするところは、従来ベルトに比べ成形が簡単で、安価に製作でき、しかも長期使用に十分耐える強度を保持した紐体と、該紐体を用いた鞄類を提供することにある。
【課題を解決するための手段】
【０００５】
本発明の紐体は、請求項１として、帯状材と、その表面と裏面の少なくとも一方に積層した補強材とを、合成樹脂製の筒状被覆体の形成時にインサートし、筒状被覆体と帯状材と補強材とが一体を成していることを特徴とする。
請求項２は、請求項１の紐体において、帯状材は少なくとも柔軟性とクッション性を有し、補強材は柔軟性を有しながら伸びにくいことを特徴とする。
請求項３は、請求項１，２の紐体において、筒状被覆体の少なくとも一面に縫製模様を施していることを特徴とする。
【０００６】
ここで紐体とは、主に鞄類に取付ける持ち手、吊下げ環に用いたり、鞄類ポケットの締め付けベルトに用いるものを言うが、水筒等の肩掛けバンド、犬の首輪前バンド等の日用品、衣類、更には工業製品等に広く用いることも可能である。
ここで帯状材とは、柔軟性とクッション性を有する例えば不織布、フェルト材、スポンジ材等を言い、補強材とは、柔軟性を有しながら伸びにくい例えば動物性革、合成革、繊維性テープ等を言う。
ここで被覆体とは、合成樹脂製の筒状体で連続成形可能なものを言い、インサートとは、被覆体を連続的に形成する間に、被覆体内に帯状材と補強材とを入れ込むことを言う。
ここで縫製模様とは、二部材をミシン糸で縫着した時に生じるミシン目に相当するものを言う。縫製模様は美観を発揮する。
【０００７】
本発明の鞄類は、請求項４として、鞄類の上側に請求項１，２，３の紐体の両端部を取付け、紐体から成る吊下げ紐を備えていることを特徴とする。
ここで鞄類とは、肩ベルトを１本備えた肩掛け式鞄類と、肩ベルトを２本備えた背負い式鞄類を言い、肩掛け式鞄類として、例えばショルダーバック、ポシェット、肩掛けかばん等があり、背負い式鞄類として、例えばナップサック、登山用ザック、ランドセル等を言がある。
【発明の効果】
【０００８】
本発明による紐体は上記構造のとおりであるから、次に記載する効果を奏する。
請求項１の紐体は、帯状材と補強材とを被覆体内にインサートしながら連続的に形成し得るので、製作時間も短縮できて製作コストを安価になる。しかも、帯状材と補強材は被覆体にて完全に保護されているから、本来の強度を長期間に渡り維持できるし、紐としての効果を十分に発揮できる。特に、各種バンド類としてそのまま使用できるし、鞄類に対する取付けも極めて簡単である。
請求項２の紐体は、請求項１の特徴に加えて、帯状材は柔軟性とクッション性を有するので、把握しやすいし、肩に掛けた際にも、肩に馴染みやすい。補強材は伸びを押さえるので、手下げ紐や吊紐にしても、伸びが少なく、しかも破断も防止し得る。
請求項３の紐体は、請求項１，２の特徴に加えて、被覆体の外面に縫製模様を表示しているので、美観が向上する。
【０００９】
本発明による鞄類は請求項４のとおりであるから、次に記載する効果を奏する。
収納部の上側に本発明の紐体を取付け、紐体から成る吊下げ紐を備えると、肩ベルトを肩掛け状態や背負い状態から外し、収納部を机やテーブル等の上に置く場合、吊下げ紐を把握して移動できる。その結果、肩ベルトを把握して移動する場合より、安定した状態で移動できる。
【発明を実施するための最良の形態】
【００１０】
先ず、本発明に係る紐体の第一実施形態を図１と図４に基づき説明すると、紐体８は、帯状材１と、該帯状材１の表面１ａに積層される補強材２とを、中空被覆体４の形成時に、被覆体４内にインサートし、一体成形するものである。
被覆体４として、例えば合成樹脂のＰＶＣ樹脂やＥＶＡ樹脂等を用い、他のものであっても良く可撓性の樹脂が選ばれる。
【実施例１】
【００１１】
本発明による紐体の第二実施形態を、第一実施形態と相違する点について説明すると、第二実施形態の紐体８を図２の如く帯状材１の表面１ａに補強材２を、裏面１ｂの補強材３を積層し、帯状材１を補強材２，３にてサンドイッチにした状態で、被覆体４内にインサートするものであり、補強材２，３として、柔軟性を有しながら伸びにくい例えば動物性革、合成革、繊維性テープ等を用いる。
【実施例２】
【００１２】
本発明による紐体の第三実施形態を、第一及び第二実施形態と相違する点について説明すると、第三実施形態の紐体８を図３の如く被覆体４の外面に縫製模様５を表示すもので、この縫製模様５は、成形工程の出口側において行う。
縫製模様５を表示することでデザイン性が向上し、商品価値も高くなる。
【００１３】
本発明による紐体８の製造方法を図４に基づいて簡単に説明すると、被覆体形成用合成樹脂Ｇの供給部から押し出し方向に湾曲する大径供給管Ｅと、該大径供給管Ｅの外側湾曲部から内部に挿入する小径供給管Ｆとから成り、大径供給管先部ｅと小径供給管先部ｆとで二重管を構成し、大径供給管Ｅから溶融樹脂Ｇを供給することで、中空の筒状被覆体４を形成すると同時に、小径供給管Ｆから帯状材１と補強材２とを重合状態で押し出すことにより、被覆体４内に帯状材１と補強材２とが連続的にインサートされる。
【実施例３】
【００１４】
次に、本発明による鞄類の実施形態を図５のランドセルにおいて説明すると、収納部７の上側に本発明による紐体８から成る吊手９を備えている。
この吊手９は、先ず長尺の紐体８から吊手９に必要な長さを切取り、その両端部を縫着したものである。
【産業上の利用可能性】
【００１５】
本発明の紐体を背負い式鞄類のランドセル６に使用した場合について説明したが、背負い式鞄類以外の例えば肩掛式鞄類、手提げ式鞄類のボストンバック、スポーツバック、ビーチバック、キャリーバック、ポーチ等にも用いることも可能である。更に、水筒の肩掛けバンド、ズボン用バンド、時計バンド、ランドセルの背負いバンド、携帯電話のストラップ，犬の首輪等にも使用可能である。
【００１６】
本発明に係る紐体８を例えば水筒の肩掛けバンドとして使用した場合、被覆体４内に帯状材１と補強材２がインサートされ、即ち、帯状材１と補強材２とが被覆体４により完全に保護されているため、擦れたり物に当っても傷つくことはなく、本来の目的を十分に発揮できる。
【図面の簡単な説明】
【００１７】
【図１】本発明による紐体の第一実施形態を示す一部切欠斜視図である。
【図２】紐体の第二実施形態を示す一部切欠平面図である。
【図３】紐体の第三実施形態を示す斜視図である。
【図４】紐体の成形例を示す概略図である。
【図５】本発明による鞄類（ランドセル）の実施形態を示す斜視図である。
【符号の説明】
【００１８】
１  帯状材、１ａ  表面、１ｂ  裏面
２，３  補強材
４  被覆体
５  縫製模様
６  鞄類（ランドセル）
７  収納部
８  紐体
９  吊手
Ｅ  大径供給管、ｅ  大径供給管先部
Ｆ  小径供給管、ｆ  小径供給管先部
Ｇ  被覆体用合成樹脂
【図１】
2007061241.tif 000003
【図２】
2007061241.tif 000004
【図３】
2007061241.tif 000005
【図４】
2007061241.tif 000006
【図５】
2007061241.tif 000007